(57)【要約】【課題】  簡単な構成でブースターの電源管理を行うことができる。【解決手段】  増幅ユニット１２がデジタルテレビジョン放送信号を増幅してデジタルテレビジョン受信機６に供給する。増幅ユニット１２へ電源を供給する電源ユニット１６が設けられている。前記デジタルテレビジョン受信機と、この受信機に対する入出力機器との間で、デジタル映像及び音声信号を伝送するＨＤＭＩ信号に含まれるＣＥＣ信号が、ＨＤＭＩ端子２２に入力され、ＣＰＵ２０が、ＣＥＣ信号に対応して、電源ユニット１６から増幅ユニット１２への動作電流を制御する。【選択図】        図１
2011234276.tif 000002
【特許請求の範囲】
【請求項１】
デジタルテレビジョン放送信号を増幅して、デジタルテレビジョン受信機に供給する前置増幅手段と、
この前置増幅手段に対する電源手段と、
前記テレビジョン受信機と、この受信機に対する入出力機器との間で、デジタル映像及び音声信号を伝送するマルチメディアインターフェース信号に含まれる、前記テレビジョン受信機及び前記入出力機器を制御するための制御信号が、入力される制御信号入力部と、
この制御信号入力部において受けた前記制御信号に対応して、前記電源手段から前記前置増幅手段に供給される動作電流を制御する制御手段とを、
具備するブースター。
【請求項２】
請求項１記載のブースターにおいて、前記デジタルテレビジョン受信機の電源オン情報、または前記デジタルテレビジョン受信機において使用されるソフトウェア及び放送受信環境データのダウンロード情報を、前記制御信号が含むとき、前記制御手段が、前記前置増幅手段に前記電源手段から動作電流を供給するブースター。
【請求項３】
請求項１または２記載のブースターにおいて、簡易型デジタル放送受信手段が設けられ、前記制御手段は、前記簡易型デジタル放送受信手段によって受信されたダウンロード告知情報を記憶し、このダウンロード告知情報が表す時点となったとき、前記前置増幅手段に前記電源手段から動作電流を供給するブースター。
【請求項４】
請求項１または２記載のブースターにおいて、前記デジタルテレビジョン受信機によって受信されたダウンロード告知情報を記憶し、このダウンロード告知情報が表す時点となったとき、前記前置増幅手段に前記電源手段から動作電流を供給するブースター。
【発明の詳細な説明】
【技術分野】
【０００１】
本発明は、デジタルテレビジョン放送信号を増幅して、デジタルテレビジョン受信機に供給するブースターに関し、特に、そのブースターの電源管理に関するものである。
【背景技術】
【０００２】
テレビジョン受信機の電源オンに同期して、ブースターの電源をオンとするものとしては、例えば特許文献１に開示されているようなものがある。特許文献１の技術では、テレビ受信システムのコンセント装置には、テレビジョン受信機の電源の状態を検知する検知ユニットが設けられ、この検知ユニットがテレビジョン受信機の電源オフを検知すると、同軸ケーブルを介してブースターに直流１０Vの電圧を送信ユニットが送信する。ブースターには、前記電圧信号を受信したとき、ブースターへの電源供給を停止し、電圧信号を受信していないとき、ブースターへ電源供給する電源部スイッチが設けられている。
【先行技術文献】
【特許文献】
【０００３】
【特許文献１】特開２００１−３３９６６９号公報
【発明の概要】
【発明が解決しようとする課題】
【０００４】
しかし、特許文献１の技術では、電源スイッチ部の制御用に直流の電圧信号を同軸ケーブルを介して伝送しているので、コンセント装置には、電圧信号を発生するための送信ユニットが必要である。また、直流の電圧信号を同軸ケーブルを介して伝送しているので、ブースターの電源部を屋内に設置し、ブースターを屋外のアンテナの近傍に設置し、同軸ケーブルを介して電源部からの動作電流をブースターへ供給するという使用ができず、ブースターは常に電源部を内蔵したものでなければならない。
【０００５】
本発明は、構成が簡単でかつ電源分離型のブースターでも電源管理を行うことができるブースターを提供することを目的とする。
【課題を解決するための手段】
【０００６】
本発明の一実施形態のブースターは、デジタルテレビジョン放送信号を増幅して、デジタルテレビジョン受信機に供給する前置増幅手段を有している。この前置増幅手段に対する電源手段が設けられている。この電源手段は、前置増幅手段の近傍に配置することもできるし、前置増幅手段と離れて配置することもできる。いわゆる電源内蔵型のブースターとすることもできるし、電源分離形のブースターとすることもできる。前記デジタルテレビジョン受信機と、この受信機に対する入出力機器との間で、デジタル映像及び音声信号を伝送するマルチメディアインターフェース信号に含まれる、前記デジタルテレビジョン受信機及び前記入出力機器を制御するための制御信号が、制御信号入力部に入力される。マルチメディアインターフェース信号としては、例えばＨＤＭＩ（登録商標）信号やＤＬＮＡ信号を使用することもできる。制御信号としては、例えばＨＤＭＩ信号に含まれるＣＥＣ信号を使用することができる。この制御信号入力部において受けた前記制御信号に対応して、制御手段が前記電源手段から前記前置増幅手段に供給される動作電流を制御する。制御信号入力部へのマルチメディアインターフェース信号の伝送は、ケーブルによる場合と、無線による場合とがある。
【０００７】
このように構成すると、マルチメディアインターフェース信号に含まれる制御信号を使用しているので、制御手段は、制御信号の内容を判定する構成のものを使用することができ、別途直流電圧信号を同軸ケーブルを介して伝送する必要が無く、構成を簡略化することができる。また、制御信号を同軸ケーブルを介して前置増幅手段側に伝送する必要がないので、前置増幅手段と電源部とが離れて設置されるいわゆる電源分離型のブースターにも適用することができる。
【０００８】
前記デジタルテレビジョン受信機の電源オン情報、または前記デジタルテレビジョン受信機において使用されるソフトウェア及び放送受信環境データのダウンロード情報を、前記制御信号が含むとき、前記制御手段が、前記前置増幅手段に前記電源手段から動作電流を供給することもできる。なお、制御信号がダウンロード情報を含むとき、デジタルテレビジョン受信機は、その一部が動作するスタンバイ状態にある。デジタルテレビジョン受信機では、このデジタルテレビジョン受信機において使用されるソフトウェア及び放送受信環境データをアンテナで受信し、それをデジタルテレビジョン受信機でダウンロードする必要がある。このような場合、ダウンロードが行われているとき、前置増幅手段が動作している必要がある。特許文献１の技術では、このような場合に対応することができない。しかし、上述したように構成すると、ダウンロードのため前記デジタルテレビジョン受信機の一部が動作しているとき、前記前置増幅手段に前記電源手段から動作電流を供給するので、アンテナで受信されたソフトウェア及び放送受信環境データが前置増幅手段で増幅されて、デジタルテレビジョン受信機に供給される。従って、省電力化を図りながら、正常にダウンロードを行うことができる。
【０００９】
ブースターに簡易型デジタル放送受信手段、例えば１セグ受信手段を設けることもできる。この場合、前記制御手段は、この簡易型デジタル放送受信手段によって受信されたダウンロード告知情報を記憶し、このダウンロード告知情報が表す時点となったとき、前記前置増幅手段に前記電源手段から動作電流を供給する。このように構成すると、ダウンロードが行われる時点になると、前置増幅手段が自動的に動作し、省電力化を図りながら、正常にダウンロードを行うことができる。なお、デジタルテレビジョン受信機によって受信したダウンロード告知情報を、例えばマルチメディアインターフェース信号中の制御信号に変換して前記制御手段に供給して記憶し、このダウンロード告知情報が表す時点となったとき、前記前置増幅手段に前記電源手段から動作電流を供給するように構成することもできる。
【発明の効果】
【００１０】
以上のように、本発明によるブースターでは、構成が簡単であり、かつ電源分離型のブースターでも電源管理を行うことができる。また、デジタルテレビジョン受信機において使用されるソフトウェア及び放送受信環境データを省電力化を図りながら、デジタルテレビジョン受信機に確実にダウンロードさせることができる。
【図面の簡単な説明】
【００１１】
【図１】本発明の第１の実施形態のブースターとデジタルテレビジョン受信機との接続状態を示すブロック図である。
【図２】図１のブースターの詳細なブロック図である。
【図３】図２のＣＰＵが行う処理を示すフローチャートである。
【図４】本発明の第２の実施形態のブースターとデジタルテレビジョン受信機との接続状態を示すブロック図である。
【図５】図４のブースターの電源部の詳細なブロック図である。
【発明を実施するための形態】
【００１２】
本発明の第１の実施形態のブースター２は、図１に示すように電源内蔵型のもので、家屋４の内部のデジタルテレビジョン受信機６の近傍に配置されている。屋外に配置されたデジタルテレビジョン放送受信用のアンテナ８で受信されたデジタルテレビジョン放送信号は、ブースター２で増幅されて、デジタルテレビジョン受信機６に供給される。
【００１３】
ブースター２は、図２に示すように、入力端子１０を有している。この入力端子１０には、デジタルテレビジョン放送受信用のアンテナ８で受信されたデジタルテレビジョン放送信号が供給されている。このデジタルテレビジョン放送信号は、前置増幅手段、例えば増幅ユニット１２によって増幅され、出力端子１４に供給される。出力端子１４は、同軸ケーブルによってデジタルテレビジョン受信機６に接続されている。この同軸ケーブルを介して、増幅されたデジタルテレビジョン放送信号がデジタルテレビジョン受信機６に供給される。
【００１４】
増幅ユニット１２に対する電源手段、例えば電源ユニット１６が、増幅ユニット１２と共に１つのケース内に設けられている。この電源ユニット１６は、商用交流電源に接続され、この交流電源を直流電源に変換して、増幅ユニット１２に供給するもので、この電源ユニット１６と増幅ユニット１２との間に、スイッチ手段、例えばスイッチユニット１８が設けられている。スイッチユニット１８は、制御手段、例えばＣＰＵ２０によって制御され、スイッチユニット１８が閉じられているとき、電源ユニット１６から増幅ユニット１２に動作電流が供給され、増幅ユニット１２が動作する。スイッチユニット１８が開かれているとき、電源ユニット１６から増幅ユニット１２に動作電流が供給されず、増幅ユニット１２が停止している。
【００１５】
ＣＰＵ２０がスイッチユニット１８を制御するために、制御信号入力部、例えばＨＤＭＩ端子２２が設けられている。ＨＤＭＩ端子２２は、ＨＤＭＩケーブルを介してデジタルテレビジョン受信機６のＨＤＭＩ端子に接続されている。ＨＤＭＩ端子２２とデジタルテレビジョン受信機６のＨＤＭＩ端子間では、マルチメディアインターフェース信号、例えばＨＤＭＩ信号がＨＤＭＩケーブルを介して伝送される。ＨＤＭＩ信号は、デジタルテレビジョン受信機６と、これに対する入出力機器、例えばＤＶＤレコーダーやパーソナルコンピューター等（図示せず）との間でデジタル映像信号及びオーディオ信号を伝送するために規格されたもので、ＨＤＭＩ信号中には、デジタルテレビジョン受信機６や入出力機器を制御するための制御信号、例えばＣＥＣ（Consumer Electronics Control）信号が含まれている。このＣＥＣ信号をＣＰＵ２０が判断して、スイッチユニット１８を開閉する。
【００１６】
例えばリモートコントロール送信機によってデジタルテレビジョン受信機６の電源がオンされると、デジタルテレビジョン受信機６からのＨＤＭＩ信号がＨＤＭＩ端子２２を介してＣＰＵ２０に供給される。図３に示すように、ＣＰＵ２０は、ＨＤＭＩ信号を受けると、ＨＤＭＩ信号中のＣＥＣ信号にデジタルテレビジョン受信機６が電源オンであることを表す電源オン情報が含まれているか判断する（ステップＳ２）。その判断の答えがイエスの場合、スイッチユニット１８を閉じて増幅ユニット１２に電源を供給し、増幅ユニット１２を動作させる（ステップＳ４）。
【００１７】
ステップＳ２の判断の答えがノーの場合、ＣＰＵ２０は、ＣＥＣ信号中にＥＳ（エンジニアリングサービス）信号が含まれているか判断する（ステップＳ６）。ＥＳ信号は、例えばデジタルテレビジョン受信機６が備えているＣＰＵが使用するソフトウェアや、放送受信環境データ、例えば電子番組表をバージョンアップするためのデータで、デジタルテレビジョン放送信号に含まれて伝送される。例えば深夜などの通常にはデジタルテレビジョン放送が行われず、デジタルテレビジョン受信機６が使用されていないような時間帯に、このバージョンアップのデータをデジタルテレビジョン受信機６で受信する。このＥＳ信号が伝送されているとき、デジタルテレビジョン受信機６の一部の機能に電源が供給されている（スタンバイ状態）。このスタンバイ状態において、ブースター２が動作していないと、デジタルテレビジョン受信機６で受信が不能である。従って、ＣＥＣ信号中にＥＳ信号が含まれていると判断すると（ステップＳ６の判断の答えがイエス）、ＣＰＵ２０は、増幅ユニット１２に電源を供給し、増幅ユニット１２を動作させる（ステップＳ８）。
【００１８】
ステップＳ６の判断の答えがノーの場合、即ちデジタルテレビジョン受信機６の電源がオフで、かつデジタルテレビジョン受信機６がＥＳ信号を受信していないときには、スイッチユニット１８を開いて、増幅ユニット１２を停止させている。これによって、デジタルテレビジョン受信機６が完全に動作停止しているときには、ブースター２も停止させることができ、省電力化を図っている。また、このような制御は、デジタルテレビジョン受信機６から供給されるＣＥＣ信号に基づいて行っているので、デジタルテレビジョン受信機６から、ブースター２の電源制御用の信号を伝送する必要が無く、構成を簡略化することができる。
【００１９】
図２に示すように、増幅ユニット１２の出力側と出力端子１４との間には、分岐手段、例えば１分岐器２４が設けられ、１分岐器２４の分岐出力が、簡易型デジタル放送受信手段、例えば１セグ受信部２６に供給されている。１セグ受信部２６は、１セグメントデジタルテレビジョン放送信号を受信し、ＣＰＵ２０に供給する。１セグメントデジタルテレビジョン放送信号中には、ダウンロード告知情報、例えば上述したバージョンアップ用のデータがデジタルテレビジョン放送信号によって伝送される時点、例えば何年何月何日何時かを表す告知情報ＳＤＴＴ信号が含まれている。ＣＰＵ２０は、ＳＤＴＴ信号がデジタルテレビジョン放送信号に含まれていると（ステップＳ１２）、ＳＤＴＴ信号を解析し（ステップＳ１４）、ダウンロードの時点を決定し、それを保存する（ステップＳ１６）。そして、保存されたダウンロードの時点は、所定の期限ごとに、今日がそのダウンロードの時点であるかステップＳ１４において判断され、その判断の答えがイエスの場合、ステップＳ６以降の処理が実行される。このように構成すると、ダウンロードの日付にはかならずＥＳ信号が存在するか否かの判断が実行されるので、ダウンロードの日時に誤ってブースター２が動作停止することを防止できる。
【００２０】
第２の実施形態のブースターは、図４に示すように電源分離型のブースター２ａで、増幅ユニット１２は、屋外のデジタルテレビジョン放送受信用のアンテナ８の近傍に設置され、デジタルテレビジョン放送受信用のアンテナ８で受信されたデジタルテレビジョン放送信号を増幅して、同軸ケーブルを介して図５に示すように電源部２８の入力端子１０ａに供給している。
【００２１】
入力端子１０ａに供給されたデジタルテレビジョン放送信号は、直流阻止コンデンサ３０を介して出力端子１４に供給され、デジタルテレビジョン受信機６に供給される。また、入力端子１０ａには、高周波阻止コイル３２を介してスイッチユニット１８が接続されている。他の構成は、第１の実施形態と同等であるので、同等部分には同一符号を付して、その説明を省略する。このブースター２ａの電源部２８では、スイッチユニット１８が閉じられたとき、電源ユニット１６からの動作電流が高周波阻止コイル３２、入力端子１０ａ、同軸ケーブルを介して増幅ユニット１２に供給され、増幅ユニット１２が動作する。従って、同軸ケーブルを介して増幅ユニット１２に制御信号を伝送する必要が無く、構成を簡略化することができる。
【００２２】
上記の両実施形態では、１セグ受信部２６を設置したが、場合によっては除去することができる。１セグ受信部２６を除去した場合、例えばデジタルテレビジョン受信機６でＳＤＴＴ信号を受信し、このＳＤＴＴ信号をＨＤＭＩ信号中のＣＥＣ信号に変換してＣＰＵ２０に供給し、ＳＤＴＴ信号を解析してダウンロードの時点を決定し、それを保存するように構成することもできる。これによって、保存されたダウンロードの時点になると上述したのと同様にして、増幅ユニット１２に電源を供給し、増幅ユニット１２を動作させる。上記の両実施形態では、電源ユニット１６の出力側にスイッチユニット１８を設けて、電源ユニット１６からの直流電源を断続させたが、電源ユニット１６の入力側にスイッチユニット１８を設けて、電源ユニット１６へ交流電源を断続させるように構成することもできる。上記の両実施形態では、制御信号としてＨＤＭＩ信号中のＣＥＣ信号を使用したが、これに限ったものではなく、例えばＤＬＮＡ規格に従った信号を使用することもできる。この場合、デジタルテレビジョン受信機６とＣＰＵ２０は、無線で接続されることもある。
【符号の説明】
【００２３】
２  ２ａ  ブースター
６  デジタルテレビジョン受信機
８  デジタルテレビジョン放送受信用のアンテナ
１２  増幅ユニット（前置増幅手段）
１６  電源ユニット（電源手段）
２０  ＣＰＵ（制御手段）
２２  ＨＤＭＩ端子（制御信号入力部）
【図１】
2011234276.tif 000003
【図２】
2011234276.tif 000004
【図３】
2011234276.tif 000005
【図４】
2011234276.tif 000006
【図５】
2011234276.tif 000007